(57)【要約】  【課題】  ＩＣカード１０（接続対象の一例）用のコネクタ３０において、ＩＣカード１０を上下反転した状態で誤挿入したときに、ＩＣカード１０の挿入をコンタクト等に損傷を与えない位置で阻止すること。  【解決手段】  ＩＣカード１０の段差部１２、１２と摺動可能に係合する係合段部５７、５７が形成されたカードコネクタ３０の上板部４１に誤挿入防止孔５１、５１を形成し、ＩＣカード１０が上下反転して、すなわち下側挿入部１３を上にして受入凹部４３に誤挿入されたときに、誤挿入防止孔５１、５１の当接縁５３、５３が下側挿入部１３の略先端面の両側部２２、２３の少なくとも一方に当接する構成とし、ＩＣカード１０の挿入を所定位置で阻止する。【選択図】  図１
2006294570.tif 000002
【特許請求の範囲】
【請求項１】
接続対象（１０、１０a〜１０d)の挿入部（１４、１４a〜１４d）を受け入れる受入凹部（４３、４３a〜４３d）が形成されたコネクタ本体（３１、３１a〜３１d）を具備したコネクタであって、コネクタ本体（３１、３１a〜３１d）は、接続対象（１０、１０a〜１０d)が受入凹部（４３、４３a〜４３d）に誤挿入されたときに挿入部（１４、１４a〜１４d）の挿入方向と平行な外壁面と対面する弾性変形可能な板部（４１、４１a〜４１d）を具備し、この板部（４１、４１a〜４１d）に、接続対象（１０、１０a〜１０d)が受入凹部（４３、４３a〜４３d）に誤挿入されたときに接続対象（１０、１０a〜１０d)の略先端面に当接する当接縁（５３、５３a〜５３d）を有する誤挿入防止孔（５１、５１a〜５１d）が形成されていることを特徴とするコネクタ。
【請求項２】
誤挿入防止孔（５１、５１a〜５１d）の当接縁（５３、５３a〜５３d）は、受入凹部（４３、４３a〜４３d）の受入口側に近い位置に形成されていることを特徴とする請求項１記載のコネクタ。
【請求項３】
誤挿入防止孔（５１、５１a〜５１d）の当接縁（５３、５３a〜５３d）は、接続対象（１０、１０a〜１０d)が受入凹部（４３、４３a〜４３d）に誤挿入されたときに、当接縁（５３、５３a〜５３d）の縁面が挿入部（１４、１４a〜１４d）の挿入方向に対して略垂直となる位置に形成されていることを特徴とする請求項１又２記載のコネクタ。
【請求項４】
板部（４１、４１a〜４１d）に形成される誤挿入防止孔（５１、５１a〜５１d）は、接続対象（１０、１０a〜１０d)が受入凹部（４３、４３a〜４３d）に誤挿入されたときに接続対象（１０、１０a〜１０d)の略先端面の両側部の少なくとも一方に当接する当接縁（５３、５３a〜５３d）を有することを特徴とする請求項１、２又は３記載のコネクタ。
【請求項５】
誤挿入防止孔は、接続対象（１０、１０a〜１０d)が受入凹部（４３、４３a〜４３d）に誤挿入されたときに、挿入部（１４、１４a〜１４d）の略先端面の両側に当接する当接縁（５３，５３、５３a，５３ａ〜５３d，５３d）を有する２つの誤挿入防止孔（５１，５１、５１a，５１ａ〜５１d，５１d）で形成されていることを特徴とする請求項１、２、３又は４記載のコネクタ。
【請求項６】
２つの誤挿入防止孔（５１，５１、５１a，５１ａ〜５１d，５１d）の当接縁（５３，５３、５３a，５３ａ〜５３d，５３d）は、接続対象（１０、１０a〜１０d)が受入凹部（４３、４３a〜４３d）に誤挿入されたときに、挿入部（１４、１４a〜１４d）の略先端面の両側部に同時に当接する位置に形成されていることを特徴とする請求項５記載のコネクタ。
【請求項７】
コネクタ本体（３１、３１a、３１ｂ）は、前面及び上面を開口した絶縁ハウジング（３３、３３a、３３ｂ）と、この絶縁ハウジング（３３、３３a、３３ｂ）の上面開口部を覆って受入凹部（４３、４３a、４３ｂ）を形成するシールドカバー（３５、３５a、３５ｂ）とからなり、シールドカバー（３５、３５a、３５ｂ）の上板部（４１、４１a、４１ｂ）に誤挿入防止孔（５１、５１a、５１ｂ）が形成されていることを特徴とする請求項１、２、３、４、５又は６記載のコネクタ。
【請求項８】
接続対象（１０、１０a)の挿入部（１４、１４a）は、挿抜方向に垂直な横断面の外側輪郭が略横長矩形状に形成された上側挿入部（１１、１１a）と、この上側挿入部（１１、１１a）より若干幅狭として両側面と上側挿入部（１１、１１a）の下面との間に段差部（１２，１２、１２a，１２a）を形成した下側挿入部（１３、１３a）とを具備し、受入凹部（４３、４３a）の両側内壁面に接続対象（１０、１０a)の挿抜時に段差部（１２，１２、１２a，１２a）と摺動可能に係合する係合段部（５７，５７、５７a，５７a）を形成し、コネクタ本体（３１、３１a）の板部（４１、４１a）は、接続対象（１０、１０a)が受入凹部（４３、４３a）に適正挿入されたときに上側挿入部（１１、１１a）の上面に対面する上板部であり、この上板部（４１、４１a）に、接続対象（１０、１０a)が上下反転して受入凹部（４３、４３a）に誤挿入されたときに、下側挿入部（１３、１３a）の略先端面に当接する当接縁（５３、５３a）を有する誤挿入防止孔（５１、５１a）が形成されていることを特徴とする請求項１、２、３、４、５、６又は７記載のコネクタ。
【発明の詳細な説明】
【技術分野】
【０００１】
本発明は、ＩＣカードやプラグコネクタなどを接続対象としたコネクタに関するものであり、詳しくは、適合する接続対象であるが上下を反転して誤挿入したとき、不適合な接続対象を誤挿入したとき、又は適合する接続対象の前後を逆にして誤挿入したときに、所定位置で挿入を阻止する構造を有するコネクタに関するものである。
【背景技術】
【０００２】
現在使用されているＩＣカード１０には、例えば図１２（a）（ｂ）に示すようなものが知られている。このＩＣカード１０は、内部に集積回路を格納した略矩形板状の上側挿入部１１と、この上側挿入部１１の下側に一体に突設され、上側挿入部１１より若干幅狭として両側面と上側挿入部１１の下面との間に段差部１２、１２を形成した下側挿入部１３とを具備している。上側挿入部１１と下側挿入部１３の大部分は後述する受入凹部４３への挿入部１４となっている。
【０００３】
上側挿入部１１の先端側には、複数の隔壁１５によって先端側と下面側に開口した複数の凹部１６が形成され、これらの凹部１６には接触パッド１７が配設されている。複数の隔壁１５は下側挿入部１３と一体に連設して形成され、その下面は下側挿入部１３の下面と略同一平面上に形成されている。
上側挿入部１１、下側挿入部１３の先端部右側には、誤挿入防止用の切欠部１８が形成されている。
上側挿入部１１の側面には、ロック用凹部１９とライトプロテクトスイッチ２１とが設けられている。
【０００４】
図１３（a）（ｂ）は、図１２（a）（ｂ）のＩＣカード１０を装着する従来のカードコネクタ１００を示している。
このカードコネクタ１００は、ＩＣカード１０を挿脱可能に保持するコネクタ本体３１と、このコネクタ本体３１に挿入されたＩＣカード１０と電気的に接続可能な複数のコンタクト３２とを具備している。
【０００５】
コネクタ本体３１は絶縁ハウジング３３とシールドカバー３５とを具備し、シールドカバー３５は絶縁ハウジング３３の両側外壁面に係止してＩＣカード１０の受入凹部４３を形成している。
絶縁ハウジング３３は、底板部３６、側板部３７、３７及び背板部３８を具備し、側板部３７、３７の内壁面には、受入凹部４３内に挿入されたＩＣカード１０の段差部１２、１２と摺動可能に係合してＩＣカード１０を案内する係合段部５７、５７が形成されている。
【０００６】
背板部３８には、複数のコンタクト３２の保持部が固着され、これらのコンタクト３２の接触部は、挿入されたＩＣカード１０の対応する接触パッド１７と弾性接触可能となるように受入凹部４３内に突設され、コンタクト３２の接続部は絶縁ハウジング３３の外へ突出している。
【０００７】
６１は、ハートカム６２、ガイド溝６３及びロックピン６５で構成されたロック機構部である。
６６はスライダ、６７はばね片、６８はコイルスプリングである。
ロック機構部６１、スライダ６６、ばね片６７及びコイルスプリング６８は、ＩＣカード１０のプッシュ・イン、プッシュ・アウトを可能にするための機構を構成している。
【０００８】
上記のカードコネクタ１００にＩＣカード１０を装着する場合には、ＩＣカード１０の上側挿入部１１を上側、下側挿入部１３を下側、切欠部１８を先端側としてカードコネクタ１００の受入凹部４３内に押し込む。このとき、ＩＣカード１０の段差部１２、１２が絶縁ハウジング３３の係合段部５７に係合しつつ案内されるため、ＩＣカード１０の上下を反転した誤挿入が阻止される。また、切欠部１８によっても上下及び前後を反転した誤挿入が阻止される。
【発明の開示】
【発明が解決しようとする課題】
【０００９】
しかしながら、図１３（a）（ｂ）に示したカードコネクタ１００においては、ユーザーによってはＩＣカード１０の上下を反転して無理にカードコネクタ１００の受入凹部４３に挿入するような誤挿入が生じる場合があった。
【００１０】
すなわち、ＩＣカード１０を図１２（ｂ）に示すような下側挿入部１３を上側にした状態でカードコネクタ１００の受入凹部４３内に無理に挿入すると、シールドカバー３５の上板部４１が図１３（ｂ）に二点鎖線で示すように変形して誤挿入を阻止することができず、コンタクト３２の接触部を損傷するなどの問題点があった。
【００１１】
また、カードコネクタ１００に不適合なＩＣカード（例えば、挿入部の横断面が矩形状で、その幅は受入凹部４３の幅より小さいが、厚さが受入凹部４３の高さより大きいＩＣカード）をカードコネクタ１００の受入凹部４３内に無理に挿入すると、シールドカバー３５の上板部４１が図１３（ｂ）に二点鎖線で示すように変形して誤挿入を阻止することができず、コンタクト３２の接触部を損傷するなどの問題点があった。
また、接続対象がコネクタに対して適合品であるか否かに拘わらず、接続対象の前後を逆にしてコネクタの受入凹部に無理に挿入する場合にも同様の問題点があった。
【００１２】
本発明は上述の問題点を鑑みなされたもので、適合する接続対象であるが上下反転した状態で誤挿入した場合、不適合な接続対象（例えば本来接続すべきでないＩＣカード）を誤挿入した場合、又は接続対象の前後を逆にした状態で誤挿入した場合に、接続対象の挿入をコンタクト等に損傷を与えない位置で阻止可能なコネクタを提供することを目的とするものである。  
【課題を解決するための手段】
【００１３】
請求項１記載の発明は、接続対象の挿入部を受け入れる受入凹部が形成されたコネクタ本体を具備したコネクタであって、前記コネクタ本体は、前記接続対象が前記受入凹部に誤挿入されたときに前記挿入部の挿入方向と平行な外壁面と対面する弾性変形可能な板部を具備し、この板部に、前記接続対象が前記受入凹部に誤挿入されたときに前記接続対象の略先端面に当接する当接縁を有する誤挿入防止孔が形成されていることを特徴とする。
【００１４】
請求項２記載の発明は、請求項１記載の発明において、誤挿入防止孔の当接縁が、受入凹部の受入口側に近い位置に形成されていることを特徴とする。
【００１５】
請求項３記載の発明は、請求項１又は２記載の発明において、誤挿入防止孔の当接縁が、接続対象が受入凹部に誤挿入されたときに、当接縁の縁面が挿入部の挿入方向に対して略垂直となる位置に形成されていることを特徴とする。
【００１６】
請求項４記載の発明は、請求項１、２又は３記載の発明において、板部に形成される誤挿入防止孔が、接続対象が受入凹部に誤挿入されたときに前記接続対象の略先端面の両側部の少なくとも一方に当接する当接縁を有することを特徴とする。
【００１７】
請求項５記載の発明は、請求項１、２、３又は４記載の発明において、誤挿入防止孔が、接続対象が受入凹部に誤挿入されたときに、挿入部の略先端面の両側に当接する当接縁を有する２つの誤挿入防止孔で形成されていることを特徴とする。
【００１８】
請求項６記載の発明は、請求項５記載の発明において、２つの誤挿入防止孔の当接縁が、接続対象が受入凹部に誤挿入されたときに、挿入部の略先端面の両側部に同時に当接する位置に形成されていることを特徴とする。
【００１９】
請求項７記載の発明は、請求項１、２、３、４、５又は６記載の発明において、コネクタ本体が、前面及び上面を開口した絶縁ハウジングと、この絶縁ハウジングの上面開口部を覆って受入凹部を形成するシールドカバーとからなり、このシールドカバーの上板部に誤挿入防止孔が形成されていることを特徴とする。
【００２０】
請求項８記載の発明は、請求項１、２、３、４、５、６又は７記載の発明において、接続対象の挿入部が、挿抜方向に垂直な横断面の外側輪郭が略横長矩形状に形成された上側挿入部と、この上側挿入部より若干幅狭として両側面と前記上側挿入部の下面との間に段差部を形成した下側挿入部とを具備し、受入凹部の両側内壁面に前記接続対象の挿抜時に前記段差部と摺動可能に係合する係合段部を形成し、コネクタ本体の板部が、前記接続対象が前記受入凹部に適正挿入されたときに前記上側挿入部の上面に対面する上板部であり、この上板部に、前記接続対象が上下反転して前記受入凹部に誤挿入されたときに、前記下側挿入部の略先端面に当接する当接縁を有する誤挿入防止孔が形成されていることを特徴とする。
【発明の効果】
【００２１】
請求項１記載の発明は、接続対象の挿入部を受け入れる受入凹部が形成されたコネクタ本体を具備したコネクタにおいて、コネクタ本体の板部に誤挿入防止孔を形成し、接続対象が受入凹部に誤挿入された場合に誤挿入防止孔の当接縁が挿入部の略先端面の両側部の少なくとも一側に当接する構成としたので、接続対象が無理に受入凹部に誤挿入された場合でも、接続対象の挿入をコネクタのコンタクト等に損傷を与えない位置で阻止することができる。
【００２２】
請求項２記載の発明は、請求項１記載の発明において、誤挿入防止孔の当接縁が受入凹部の受入口に近い位置に形成されているので、挿入の早期の段階で接続対象の受入凹部への誤挿入を阻止することができる。
【００２３】
請求項３記載の発明は、請求項１又は２記載の発明において、誤挿入防止孔の当接縁を、接続対象が受入凹部に誤挿入されたときに、当接縁の縁面が挿入部の挿入方向に対して略垂直となる位置に形成されているので、接続対象から受ける押圧力をより効率的に受けて、誤挿入を阻止する力を大きくすることができる。
【００２４】
請求項４記載の発明は、請求項１、２又は３記載の発明において、板部に形成される誤挿入防止孔が、誤挿入された接続対象の略先端面の両側部の少なくとも一方に当接する当接縁を有する構成としたので、接続対象の先端側の隅部が角張っている場合に、より確実に誤挿入を防止することができる。  
【００２５】
請求項５記載の発明は、請求項１、２、３又は４記載の発明において、誤挿入防止孔は、接続対象が受入凹部に誤挿入されたときに、挿入部の略先端面の両側に当接する当接縁を有する２つの誤挿入防止孔で形成されているので、誤挿入を阻止するための構成の数を増やして誤挿入阻止力を大きくすることができる。
【００２６】
請求項６記載の発明は、請求項５記載の発明において、２つの誤挿入防止孔の当接縁は、接続対象が受入凹部に誤挿入されたときに、挿入部の略先端面の両側部に同時に当接する位置に形成されているので、誤挿入阻止力を大きくすることができる。
【００２７】
請求項７記載の発明は、請求項１、２、３、４、５又は６記載の発明において、コネクタ本体が絶縁ハウジングとシールドカバーを具備し、シールドカバーの上板部に誤挿入防止孔が形成されているので、誤挿入防止孔を簡易的に形成することができるとともに、誤挿入防止孔の強度を大きくすることができる。
【００２８】
請求項８記載の発明は、請求項１、２、３、４、５、６又は７記載の発明において、挿入部が両側面に段差部を形成する上側挿入部と下側挿入部を具備し、受入凹部の両側内壁面に段差部と摺動可能に係合する係合段部を形成したコネクタにおいて、コネクタ本体の板部に誤挿入防止孔を形成し、接続対象が上下反転して受入凹部に誤挿入されたとき、誤挿入防止孔の当接縁が下側挿入部の略先端面に当接する構成としたので、接続対象が無理に受入凹部に誤挿入された場合でも、接続対象の挿入をコネクタのコンタクト等に損傷を与えない位置で阻止することができる。
【実施例】
【００２９】
図１及び図２は本発明の第１実施例を示すもので、これらの図において１０は接続対象の一例としてのＩＣカード、３０はＩＣカード１０を受け入れるカードコネクタである。
ＩＣカード１０は、図１２（a）（ｂ）に示すように形成され、従来例で説明したものと同一に構成されている。
【００３０】
カードコネクタ３０は、上板部に本発明に特有の誤挿入防止孔を形成した点を除いては、図１３（a）（ｂ）に示したカードコネクタ１００と略同様に、コネクタ本体３１と、このコネクタ本体３１に保持された複数のコンタクト３２とを具備している。
【００３１】
コネクタ本体３１は絶縁ハウジング３３とシールドカバー３５を具備している。
絶縁ハウジング３３は、絶縁性合成樹脂で一体に成形された底板部３６、側板部３７、３７及び背板部３８を具備し、上面とＩＣカード１０の挿入口側が開口している。
また、シールドカバー３５は、厚さｔ（例えばｔ＝０．２ｍｍ）の導電性金属薄板を略逆Ｕ字状に折曲して形成され、上板部４１及び側板部４２、４２を具備している。
そして、シールドカバー３５で絶縁ハウジング３３の上面と側板部３７、３７の外壁面を覆ってＩＣカード１０の受入凹部４３を形成し、側板部４２、４２に形成された係止孔４５〜４５に、側板部３７、３７に突設された係止突起４６〜４６を係止して、シールドカバー３５が絶縁ハウジング３３に固定される。
底板部３６の外壁面には、プリント配線基板への位置決め突起４７、４７が突設されている。
【００３２】
上板部４１には、本発明に特有の誤挿入防止孔５１、５１が形成されている。この誤挿入防止孔５１、５１は、ＩＣカード１０が上下反転した状態で受入凹部４３内に誤挿入されたときに、この挿入の早期においてＩＣカード１０の下側挿入部１３の略先端面の両側部２２、２３に当接する当接縁５３、５３を有するように、受入凹部４３の受入口側に近い位置に形成されている。
誤挿入防止孔５１の当接縁５３は、当接時に下側挿入部１３から受ける押圧力をより効率的に受けて誤挿入阻止力を大きくするために、及び／又は下側挿入部１３と当接する面積を広くして誤挿入阻止力を大きくするために、ＩＣカード１０が上下反転して受入凹部４３に誤挿入されたときに、当接縁５３の縁面が下側挿入部１３の挿入方向に対して略垂直となる位置に形成されている。
【００３３】
側板部３７、３７の底板部３６との連設部内壁面には、受入凹部４３に挿入されたＩＣカード１０の段差部１２、１２と摺動可能に係合してＩＣカード１０を案内する係合段部５７、５７が形成されている。
背板部３８には、複数のコンタクト３２の保持部が固着され、コンタクト３２の接触部は、受入凹部４３内に挿入されたＩＣカード１０の対応するＩＣカード１０と弾性接触可能に受入凹部４３内に突設され、コンタクト３２の接続部は、絶縁ハウジング３３の外に突出してプリント配線基板（図示省略）の配線パターン（例えば信号線）に半田接続される。
【００３４】
６１はロック機構部で、このロック機構部６１は、一方の側板部３７に形成されたハートカム６２と、その周りに連通形成されたガイド溝６３と、略逆Ｕ字状に形成されたロックピン６５とで構成され、ロックピン６５の一端側がハートカム６２及びガイド溝６３に移動可能に係合し、ロックピン６５の他端側はスライダ６６の係合孔に係合している。
ロックピン６５は、シールドカバー３５の一部を舌片状に下向きに切り起こしたばね片６７によって、上から下へ向かって付勢されている。
スライダ６６は、一方の側板部３７に沿って摺動可能となるように受入凹部４３内に設けられるとともに、コイルスプリング６８によって受入凹部４３の受入口側に付勢され、その内側には、受入凹部４３内に挿入されたＩＣカード１０の切欠部１８と当接する傾斜部６９が形成されている。
ロック機構部６１、スライダ６６、ばね片６７及びコイルスプリング６８は、ＩＣカード１０のプッシュ・イン、プッシュ・アウトを可能にするための機構を構成している。
【００３５】
一方の側板部３７には、受入凹部４３内の適正位置まで挿入されたＩＣカード１０のロック用凹部１９に係合してＩＣカード１０の摺動をロックするロックばね（図示省略）が設けられている。
他方の側板部３７には、適正位置まで挿入されたＩＣカード１０のライトプロテクトスイッチ２１と当接し、ライトプロテクトスイッチ２１のロック、アンロック状態に応じてオン、オフする端子片７１、７２が設けられている。
シールドカバー３５の側板部４２、４２の下端縁の所定部には、複数の接地用接続片７３〜７３が外側へ折曲して形成され、これらの接地用接続片７３〜７３はプリント配線基板（図示省略）の配線パターン（例えば接地線）に半田接続される。
【００３６】
つぎに、図３及び図４を併用して第１実施例の作用について説明する。
【００３７】
まず、図３を併用して適正挿抜時について説明する。
（１）ＩＣカード１０を図１２（a）に示すような上側挿入部１１を上側にしてカードコネクタ３０に装着し、受入凹部４３内に適正挿入される場合には、ＩＣカード１０はその段差部１２、１２が絶縁ハウジング３３の係合段部５７、５７に摺動可能に係合して受入凹部４３内の所定位置まで案内され、ＩＣカード１０のロック用凹部１９にロックばねが係合してロック状態となる。
このロック状態では、ＩＣカード１０の接触パッド１７〜１７とカードコネクタ３０の対応するコンタクト３２〜３２の接触部とが弾性接触して、ＩＣカード１０とカードコネクタ３０が電気的に接続される。
このときに、プッシュ・イン機構によって、ＩＣカード１０の切欠部１８がスライダ６６の傾斜部６９を押圧摺動してロックピン６５の一側端がハートカム６２に係合する。
【００３８】
（２）そして、ロック解除状態にするには、前記（１）のロック状態においてＩＣカード１０をさらに受入凹部４３内に押圧する。
すると、プッシュ・アウト機構の作用により、ＩＣカード１０でスライダ６６が先端側へ移動してロックピン６５の一側端がハートカム６２から外れてガイド溝６３に案内され、コイルスプリング６８のばね力によってスライダ６６が挿入口側に付勢され、ＩＣカード１０がロック解除されて受入凹部４３から抜き取り可能となる。
以上の（１）（２）の作用は従来例と同様である。
【００３９】
つぎに、図４を併用して誤挿入時について説明する。
（１）ＩＣカード１０を、図１２（ｂ）に示すような下側挿入部１３を上側にして、カードコネクタ３０の受入凹部４３内に無理に挿入された場合には、図４（ｃ）に示すように、ＩＣカード１０の上側挿入部１１の下面の両側が係合段部５７、５７の上面に当接するとともに、下側挿入部１３が上板部４１の中央部を上方へ湾曲変形して、誤挿入される（すなわち挿入が許される）。
しかし、ＩＣカード１０の受入凹部４３内への挿入が進み、図４（a）（ｂ）に示すように、下側挿入部１３の両側部２２、２３の一方２３が対応する誤挿入防止孔５１の当接縁５３に当接すると、ＩＣカード１０のそれ以上の挿入が阻止される。このため、ＩＣカード１０の先端部がカードコネクタ３０のコンタクト３２〜３２の接触部に当接して損傷するのを防止できる。
【００４０】
（２）図４（a）の状態において、ＩＣカード１０がカードコネクタ３０の受入凹部４３内にさらに無理に挿入された場合には、前記（１）と同様にしてＩＣカード１０の両側部２２、２３の他方２２が対応する誤挿入防止孔５１の当接縁に当接してＩＣカード１０の挿入が阻止される。
【００４１】
前記実施例では、誤挿入防止孔を２つとし、それぞれの誤挿入防止孔の当接縁が誤挿入されたＩＣカードの下側挿入部の略先端面の両側部のそれぞれに時間差をもって当接するとともに、誤挿入の早期に当接するように上板部の受入凹部の受入口側に近い位置に形成した場合について説明したが、本発明はこれに限るものでなく、上板部に少なくとも１つの誤挿入防止孔が形成され、この誤挿入防止孔に、誤挿入されたＩＣカードの下側挿入部の略先端面の両側部の少なくとも一方に当接する当接縁が形成されている場合について利用することができる。
【００４２】
例えば、図５に示すように、誤挿入防止孔を受入凹部の受入口側に近い位置に形成されて２つとし、それぞれの誤挿入防止孔５１、５１の当接縁５３、５３が誤挿入されたＩＣカードの略先端面の両側部２２、２３のそれぞれに同時に当接する位置に形成して誤挿入阻止力を大きくした場合についても利用することができる。
【００４３】
または、図６に示すように誤挿入防止孔を４つとし、それぞれの誤挿入防止孔５１〜５１の当接縁５３〜５３が誤挿入されたＩＣカードの略先端面の両側部２２、２３のそれぞれに時間差をもって当接する位置に形成して、誤挿入阻止の構成の数を増やした場合についても利用することができる。
【００４４】
前記第１実施例では、接続対象をＩＣカードとしたカードコネクタの場合について説明したが、本発明はこれに限るものでなく、接続対象をＩＣカード以外（例えばプラグコネクタ）としたコネクタ（例えばリセプタイルコネクタ）の場合についても利用することができる。
【００４５】
図７（a）（ｂ）は、接続対象をケーブル７５に接続されたプラグコネクタ１０aとし、このプラグコネクタ１０aが装着されるコネクタをプリント配線基板７６に実装されたリセプタクルコネクタ３０aとした第２実施例を示すものである。
【００４６】
プラグコネクタ１０aは、先端側に挿入部１４ａが形成された絶縁ハウジング８３と、この絶縁ハウジング８３に保持された複数のコンタクト（図示省略）とを具備し、このコンタクトの接続側はケーブル７５に電気接続され、接触部は挿入部１４ａ内の凹部（図示省略）に突設されている。
挿入部１４ａは、挿抜方向に垂直な横断面の外側輪郭が略横長矩形状に形成された上側挿入部１１aと、この上側挿入部１１aより若干幅狭として両側面と上側挿入部１１aの下面との間に段差部１２a、１２ａを形成した下側挿入部１３aとからなっている。
【００４７】
リセプタクルコネクタ３０aは、プラグコネクタ１０aの挿入部１４ａを受け入れる受入凹部４３aが形成されたコネクタ本体３１aと、このコネクタ本体３１aに保持された複数のコンタクト（図示省略）とを具備し、このコンタクトの接続部は、コネクタ本体３１aの外に突出してプリント配線基板７６の配線パターン（例えば信号線）に半田接続され、コンタクトの接触部は、受入凹部４３a内に露出して、挿入されたプラグコネクタ１０aの対応するコンタクトの接触部と弾性接触可能に形成されている。
【００４８】
コネクタ本体３１aは、絶縁ハウジング３３aと、この絶縁ハウジング３３aに固着されたシールドカバー３５aを具備している。
絶縁ハウジング３３aは、底板部３６a、側板部３７a、３７a及び背板部を具備し、上面とプラグコネクタ１０aの挿入口側が開口し、側板部３７a  、３７aの内壁面には、プラグコネクタ１０aを受入凹部４３aに挿入したときにプラグコネクタ１０aの段差部１２a、１２aと摺動可能に係合して案内する係合段部５７a、５７aが形成されている。
シールドカバー３５aは、導電性金属薄板を略逆Ｕ字状に折曲し形成され、上板部４１a及び側板部４２a、４２aを具備し、絶縁ハウジング３３aの上面及び側板部３７a、３７aの外壁面を覆って受入凹部４３aを形成している。
側板部４２a、４２aの下端縁から突設した接続用舌片８５〜８５は、プリント配線基板７６の配線パターン（例えば接地線）に半田接続されている。
【００４９】
上板部４１aには、本発明に特有の誤挿入防止孔５１a、５１aが形成されている。この誤挿入防止孔５１a、５１aは、プラグコネクタ１０aが上下反転した状態で受入凹部４３a内に誤挿入されたときに、早期に下側挿入部１３aの略先端面の両側部２２a、２３aに当接する当接縁５３a、５３aを有するように、受入凹部４３aの受入口側に近い位置に形成されている。
誤挿入防止孔５１aの当接縁５３ａは、当接時に下側挿入部１３ａから受ける押圧力をより効率的に受けて誤挿入阻止力を大きくするために、及び／又は下側挿入部１３ａと当接する面積を広くして誤挿入阻止力を大きくするために、プラグコネクタ１０aが上下反転して受入凹部４３ａに誤挿入されたときに、当接縁５３ａの縁面が下側挿入部１３ａの挿入方向に対して略垂直となる位置に形成されている。
【００５０】
つぎに、図７（a）（ｂ）に示す実施例の作用について説明する。
（１）まず、適正挿入時について説明する。
プラグコネクタ１０aを図７（a）に示すような上側挿入部１１aを上側にしてリセプタクルコネクタ３０aに装着し、受入凹部４３a内に適正挿入された場合には、プラグコネクタ１０aは、その段差部１２a、１２aが絶縁ハウジング３３aの係合段部５７a、５７aに摺動可能に係合して受入凹部４３a内の所定位置まで案内されてロック状態となり、プラグコネクタ１０aのコンタクトの接触部にリセプタクルコネクタ３０aの対応するコンタクトの接触部が弾性接触して、プラグコネクタ１０aとリセプタクルコネクタ３０aが電気的に接続する。
【００５１】
（２）つぎに、誤挿入時について説明する。
プラグコネクタ１０aを、図７（ｂ）に示すような下側挿入部１３aを上側にして受入凹部４３a内に無理に挿入された場合には、上側挿入部１１aの下面の両側が係合段部５７a、５７aの上面に当接するとともに、下側挿入部１３aが上板部４１aの中央部を二点鎖線で示すように上方へ湾曲変形して誤挿入される（すなわち、挿入が許される）。
しかし、プラグコネクタ１０aの受入凹部４３a内への挿入が進み、下側挿入部１３aの両側部２２a、２３aが誤挿入防止孔５１a、５１aの当接縁５３a、５３aに当接すると、プラグコネクタ１０aのそれ以上の挿入が阻止される。このため、コンタクトの損傷等を防止することができる。
【００５２】
前記第１、第２実施例では、接続対象はコネクタに適合しているが、接続対象の挿入部の上下を反転して挿入する誤挿入を阻止する場合について説明したが、本発明はこれに限るものでなく、接続対象がコネクタに不適合であるのに、接続対象の挿入部をコネクタの受入凹部に無理に挿入するのを阻止する場合についても利用することができる。
【００５３】
図８及び図９は、接続対象を図８（a）（ｂ）に示すようなＩＣカード１０ｂとし、このＩＣカード１０ｂを受け入れるコネクタを図９（ａ）（ｂ）（ｃ）に示すようなカードコネクタ３０ｂとした第３実施例を示すもので、接続対象がコネクタに対して不適合であるのに無理に挿入しようとした場合に、この誤挿入を阻止する例を示す。
【００５４】
ＩＣカード１０ｂは、両側面に段差部が形成されていない点を除いて図１２（ａ）（ｂ）のＩＣカード１０と同様に形成されている。すなわち、カードコネクタ３０ｂの受入凹部４３ｂに挿入される挿入部１４ｂは、その挿抜方向に垂直な横断面の外側輪郭が略横長矩形状に形成されている。
カードコネクタ３０ｂは、受入凹部４３ｂの両側内壁面に係合段部が形成されていない点を除いて、図１から図４のカードコネクタ３０と同様に形成されている。すなわち、カードコネクタ３０ｂのコネクタ本体３１ｂは絶縁ハウジング３３ｂとシールドカバー３５ｂを具備し、シールドカバー３５ｂの上板部４１ｂには、誤挿入防止孔５１ｂ、５１ｂが形成されている。この誤挿入防止孔５１ｂ、５１ｂは、不適合なＩＣカード１０ｂが受入凹部４３ｂ内に誤挿入されたときに、この挿入の早期においてＩＣカード１０ｂの両側部２２ｂ、２３ｂに当接する当接縁５３ｂ、５３ｂを有するように、受入凹部４３ｂの受入口側に近い位置に形成されている。
【００５５】
そして、受入凹部４３ｂの挿抜方向に垂直な横断面の内側輪郭が幅Ｗ、高さＨの横長矩形状に形成されているものとし、ＩＣカード１０ｂが、その挿入部１４ｂの幅、厚さが受入凹部４３ｂの幅Ｗ、高さＨより小さい適合品の場合には、図９（ａ）（ｂ）に示すように適正に挿入されるが、ＩＣカード１０ｂが、図９（ｄ）に示すように、その挿入部１４ｂの幅が受入凹部４３ｂの幅Ｗより小さい「Ｗ−α」であっても、挿入部１４ｂの厚さが受入凹部４３ｂの高さＨより大きな「Ｈ＋β」であるような不適合品の場合には、このＩＣカード１０ｂを受入凹部４３ｂに無理に挿入しても、挿入部１４ｂaの略先端面の両側部２２ｂ、２３ｂが誤挿入防止孔５１ｂ、５１ｂの当接縁５３ｂ、５３ｂに当接して、ＩＣカード１０ｂのそれ以上の挿入が阻止される。
【００５６】
前記第１〜第３の実施例では、コネクタ本体が絶縁ハウジングとシールドカバーを具備し、シールドカバーの上板部に誤挿入防止孔を形成した場合について説明したが、本発明はこれに限るものでなく、シールドカバーの上板部に対応する部分を絶縁ハウジングの一部で形成し、この部分（すなわち、誤挿入時に接続対象の挿入部の外壁面と対面する絶縁ハウジングの板部）に誤挿入防止孔を形成した場合についても利用することができる。
【００５７】
図１０は、接続対象をプラグコネクタ１０ｃとし、このプラグコネクタ１０ｃが装着されるコネクタをリセプタクルコネクタ３０ｃとし、シールドカバーの上板部に対応する部分を絶縁ハウジングの一部で形成した第４実施例を示すもので、接続対象がコネクタに対して不適合であるのに無理にコネクタに挿入されたときに、この誤挿入を阻止する例を示す。
【００５８】
プラグコネクタ１０ｃは、両側面に段差部が形成されていない点を除いて図７（ａ）（ｂ）のプラグコネクタ１０ａと同様に形成されている。すなわち、リセプタクルコネクタ３０ｃの受入凹部４３ｃに挿入される挿入部１４ｃは、その挿抜方向に垂直な横断面の外側輪郭が略矩形状に形成されている。
リセプタクルコネクタ３０ｃは、受入凹部４３ｃの両側内壁面に係合段部が形成されていない点と、シールドカバー３５ａを具備しない点とを除いて、図７（ａ）（ｂ）のリセプタクルコネクタ３０ａと同様に形成されている。すなわち、リセプタクルコネクタ３０ｃは、受入凹部４３ｃの挿抜方向に垂直な横断面の内側輪郭が略矩形状に形成され、コネクタ本体３１ｃは絶縁ハウジング３３ｃと複数のコンタクト（図示省略）を具備し、絶縁ハウジング３３ｃの弾性変形可能な上板部４１ｃには、誤挿入防止孔５１ｃ、５１ｃが形成されている。
この誤挿入防止孔５１ｃ、５１ｃは、図１０（ｂ）に示すような不適合なプラグコネクタ１０ｃの挿入部１４ｃが受入凹部４３ｃ内に無理に挿入されたときに、この誤挿入の早期において挿入部１４ｃの略先端面の両側部（図示省略）に当接する当接縁５３ｃ、５３ｃを有するように、受入凹部４３ｃの受入口側に近い位置に形成されている。
【００５９】
前記実施例では、コネクタの受入凹部と接続対象の挿入部の一方に誤挿入防止突起が形成されていない場合について説明したが、本発明はこれに限るものでなく、コネクタの受入凹部と接続対象の挿入部の一方に誤挿入防止突起が形成されている場合についても利用することができる。
【００６０】
例えば、図１１に示すような、リセプタクルコネクタ３０ｄの受入凹部４３ｄの内壁面に誤挿入防止突起９１が形成され、プラグコネクタ１０ｄが、対応する切り欠きや係合凹部を具備しない不適合なものである場合（第５実施例）についても利用することができる。
リセプタクルコネクタ３０ｄは、図１１（ａ）に示すように、受入凹部４３ｄの挿抜方向に垂直な横断面の内側輪郭が略矩形状に形成され、その幅がＷ、誤挿入防止突起９１の内側面から対面する内壁面までの高さがＨである点を除いて図１０のプラグコネクタ１０ｃと同様に形成されている。
コネクタ本体３１ｄは、絶縁ハウジング３３ｄと複数のコンタクト（図示省略）を具備し、絶縁ハウジング３３ｄの弾性変形可能な上板部４１ｄには、誤挿入防止孔５１ｄ、５１ｄが形成されている。
この誤挿入防止孔５１ｄ、５１ｄは、図１１（ｂ）に示すような不適合なプラグコネクタ１０ｄの挿入部１４ｄが受入凹部４３ｄ内に無理に挿入されたときに、この誤挿入の早期において挿入部１４ｄの略先端面の両側部（図示省略）に当接する当接縁５３ｄ、５３ｄを有するように、受入凹部４３ｄの受入口側に近い位置に形成されている。
【００６１】
図１１に示した実施例では、コネクタの絶縁ハウジングに誤挿入防止突起が形成されているものに本発明を利用した場合について説明したが、本発明はこれに限るものでなく、コネクタのシールドカバーに誤挿入防止突起が形成されているものについても本発明を利用することができる。
例えば、特開２００４−１２７７３１に開示されているような、シールドカバーの上板部に切り起こしでＵ字状の誤挿入防止突起が形成された場合についても、本発明を利用することができる。すなわち、絶縁ハウジングの底板部を弾性変形可能に形成し、この底板部に本発明に特有の誤挿入防止孔を形成することによって、及び／又はシールドカバーの上板部の誤挿入防止突起から離れた位置に本発明に特有の誤挿入防止孔を形成することによって、接続対象の無理な挿入を阻止することができる。
【００６２】
前記実施例では、接続対象から受ける押圧力をより効率的に受けて誤挿入を阻止する力を大きくするために、当接縁の縁面が挿入部の挿入方向に対して略垂直となる位置に形成されている場合について説明したが、本発明はこれに限るものでなく、誤挿入防止孔の当接縁を、接続対象が受入凹部に誤挿入されたときに、当接縁の縁面が挿入部の挿入方向に垂直でない（例えば斜めの）位置に形成されている場合についても利用することができる。
【００６３】
前記実施例では、接続対象がコネクタに対して適合品ではあるが上下を反転して無理に挿入するような誤挿入を阻止する場合、又は接続対象がコネクタに対して不適合品であるのに無理に挿入するような誤挿入を阻止する場合について説明したが、本発明はこれに限るものでなく、接続対象がコネクタに対して適合品であるのに接続対象の前後を逆にしてコネクタに無理に挿入するような誤挿入を阻止する場合にも利用することができる。
【図面の簡単な説明】
【００６４】
【図１】本発明の第１実施例を示す斜視図である。
【図２】図１中のカードコネクタ３０を示すもので、（a）は平面図、（ｂ）は正面図である。
【図３】ＩＣカード１０がカードコネクタ３０に適正挿入された状態を示す図で、（a）は平面図、（ｂ）は（a）のＡ−Ａ線断面図、（ｃ）は（a）のＢ−Ｂ線断面図である。
【図４】ＩＣカード１０がカードコネクタ３０に誤挿入された状態を示す図で、（a）は平面図、（ｂ）は（a）のＡ−Ａ線断面図であって、一部を拡大して表した図、（ｃ）は（a）のＢ−Ｂ線断面図である。
【図５】第１実施例において、誤挿入防止孔５１の形成位置を変更した例を示す平面図である。
【図６】第１実施例において、誤挿入防止孔５１の形成数を変更した例を示す平面図である。
【図７】本発明の第２実施例を示す斜視図で（a）は適正挿入時を示す図、（ｂ）は誤挿入時を示す図である。
【図８】本発明の第３実施例に利用されたＩＣカード１０ｂを示す斜視図で、（a）は上面を上にした図、（ｂ）は下面を上にした図である。
【図９】本発明の第３実施例を示すもので、（a）はＩＣカード１０ｂがリセプタクルコネクタ３０ｂに適合し、装着されている状態を示す平面図、（ｂ）は（ａ）のＡーＡ線断面図、（ｃ）はリセプタクルコネクタ３０ｂの受入凹部４３ｂの説明図、（ｄ）はＩＣカード１０ｂがリセプタクルコネクタ３０ｂに不適合な場合の説明図である。
【図１０】本発明の第４実施例を示すもので、（a）はリセプタクルコネクタ３０ｃの受入凹部４３ｃの説明図、（ｂ）はプラグコネクタ１０ｃの挿入部１４ｃの説明図である。
【図１１】本発明の第５実施例を示すもので、（a）はリセプタクルコネクタ３０ｄの受入凹部４３ｄの説明図、（ｂ）はプラグコネクタ１０ｄの挿入部１４ｄの説明図である。
【図１２】図１中のＩＣカード１０を示す斜視図で、（a）は上側挿入部１１を上側として挿入する時（適正挿入時）を示す図、（ｂ）は下側挿入部１３を上側として挿入する時（誤挿入時）を示す図である。
【図１３】従来例を示す図で、（a）は平面図、（ｂ）は正面図である。
【符号の説明】
【００６５】
１０、１０ｂ…ＩＣカード（接続対象の一例）
１０ａ、１０ｃ、１０ｄ…プラグコネクタ（接続対象の一例）
１１、１１ａ…上側挿入部
１２、１２ａ…段差部
１３、１３ａ…下側挿入部
１４、１４ａ〜１４ｄ…挿入部
３０、３０ｂ…カードコネクタ（コネクタの一例）
３０ａ、３０ｃ、３０ｄ…リセプタクルコネクタ（コネクタの一例）
３１、３１ａ〜３１ｄ…コネクタ本体
３３、３３ａ〜３３ｄ…絶縁ハウジング
３５、３５ａ、３５ｂ…シールドカバー  
４１、４１ａ〜４１ｄ…板部
４３、４３ａ〜４３ｄ…受入凹部
５１、５１ａ〜５１ｄ…誤挿入防止孔
５３、５３ａ〜５３ｄ…当接縁
５７、５７ａ…係合段部
【図１】
2006294570.tif 000003
【図２】
2006294570.tif 000004
【図３】
2006294570.tif 000005
【図４】
2006294570.tif 000006
【図５】
2006294570.tif 000007
【図６】
2006294570.tif 000008
【図７】
2006294570.tif 000009
【図８】
2006294570.tif 000010
【図９】
2006294570.tif 000011
【図１０】
2006294570.tif 000012
【図１１】
2006294570.tif 000013
【図１２】
2006294570.tif 000014
【図１３】
2006294570.tif 000015